【手続補正書】
【提出日】平成19年12月26日(2007.12.26)
【手続補正１】
【補正対象書類名】明細書
【補正対象項目名】特許請求の範囲
【補正方法】変更
【補正の内容】
【特許請求の範囲】
【請求項１】
情報信号パケット (TSパケット) の受信されたリアルタイムシーケンスのパケット到着タイムスタンプPAT (Packet Arrival Timestamp) を生成する方法であって、複数の情報信号パケットのシリアルな前記シーケンスが、間隔を置いて、ローカル・システムタイムカウンタ(STC)を基準プログラムクロック(PCR)情報によってロックするための前記基準プログラムクロック(PCR)情報を有し、前記方法が、
前記ローカル・システムタイムカウンタ(STC)から導出されるパケット到着タイムカウンタを使用して各パケットの前記パケット到着タイムを特定するステップと、
対応するパケット到着タイムスタンプ(PAT)を、受信された情報信号パケットに付加するステップと、
を有する方法において、
最初の情報信号パケットを受信する前に前記パケット到着タイムカウンタを任意の値に設定し、
前記シーケンスの前記最初の情報信号パケットの前記パケット到着タイムスタンプ(PAT)と、基準プログラムクロック(PCR)情報を有する前記最初の情報信号パケットの前記パケット到着タイムスタンプ(PAT)とを一時的に格納し、
当該パケット到着タイムスタンプ(PAT)の間のローカル・システムタイムクロックカウンタ(STC)のカウント数を特定し、
その数を前記基準プログラムクロック(PCR)値から減じて、システムタイムカウンタのスタート値(STC-start)を取得する、
ことを特徴とする方法。
【請求項２】
前記付加されたパケット到着タイムスタンプ(PAT)を有する前記受信された情報信号が、記録媒体上に格納され、前記システムタイムカウンタのスタート値(STC-start)が、前記格納されたシーケンスの属性として格納される、請求項1による方法。
【請求項３】
請求項1による前記方法によって取得された、情報信号パケット(TS)の格納されたリアルタイムシーケンスを再生する方法であって、前記方法が、
ローカル・システムタイムカウンタ(STC)から導出されたパケット到着タイムカウンタを動作させるステップと、
前記ローカル・システムタイムカウンタ(STC)を、受信された基準プログラムクロック(PCR)にロックするステップと、
格納媒体から、情報信号パケットとそれらの対応するパケット到着タイムスタンプ(PAT)を取得するステップと、
取得された複数の情報信号パケットを一時的に格納するステップと、
前記対応するパケット到着タイムスタンプ(PAT)が前記パケット到着タイムカウンタに一致するときに情報信号パケットを出力するステップと、
を有する方法において、
前記格納媒体から前記システムタイムカウンタのスタート値(STC-start)を取得し、
前記システムタイムカウンタ(STC)を、受信された前記システムタイムカウンタの前記スタート値(STC-start)によって設定する、
ことを特徴とする方法。
【請求項４】
前記システムタイムカウンタのスタート値(STC-start)に対応する基準プログラムクロック(PCR)情報を挿入することを特徴とする、請求項3による方法。
【請求項５】
格納されたリアルタイム情報信号パケット(TS)の、請求項1の前記方法によって取得された2つの連結されたシーケンスを再生する方法であって、前記2つのシーケンスの前記パケット到着タイムスタンプ(PAT)において不連続が結合ポイントに存在し、かつ、前記2つのシーケンスのパケット到着タイムスタンプの間に重なりが存在せず、かつ、前記復号された対応する情報信号パケットがシームレスにプレゼンテーションされ、前記方法が、
ローカル・システムタイムカウンタ(STC)から導出されたプレゼンテーションタイムカウンタを動作させるステップと、
前記ローカル・システムタイムカウンタ(STC)をロックして、第1または第2のシーケンスのいずれかに対応する基準プログラムクロック(PCR)情報を取得するステップと、
格納媒体から、情報信号パケットとそれらの対応するプレゼンテーションタイムスタンプ(PTS)を取得するステップと、
取得された複数の情報信号パケットを一時的に格納するステップと、
前記対応するプレゼンテーションタイムスタンプ(PTS)が前記プレゼンテーションタイムカウンタに一致するときに情報信号パケットをプレゼンテーションするステップと、
を有する方法において、
後続の前記第2のシーケンスの前記最初の情報信号パケットの前記プレゼンテーションタイムスタンプ(PTS)の前記値から、前記第2のシーケンスの前記システムタイムカウンタのスタート値(STC-start-2)を減じ、
ローカル・システムタイムカウンタ(STC)を前記システムタイムカウンタのスタート値(STC-start-2)の値に設定すべき瞬間を特定する、
ことをさらに特徴とする方法。
【請求項６】
情報信号パケット(TSパケット)のリアルタイムシーケンスを記録担体上に記録するための装置であって、複数の情報信号パケットのシリアルな前記シーケンスが、間隔を置いて、ローカル・システムタイムカウンタ(STC)を基準プログラムクロック(PCR)情報によってロックするための前記基準プログラムクロック(PCR)情報を有し、前記装置が、
前記情報信号パケットを受信するための受信手段と、
前記情報信号パケットの到着タイムに対応するタイムスタンプを生成するためのタイムスタンプ生成手段と、
前記生成されたタイムスタンプと情報信号パケットを前記記録担体上に記録するための書き込み手段とを有し、
前記タイムスタンプ生成手段が、前記受信された基準プログラムクロック(PCR)情報にロックされるシステムタイムカウンタを備えている装置において、
前記タイムスタンプ生成手段が、請求項1の前記方法によってタイムスタンプを生成するように適合化されていることを特徴とする装置。
【請求項７】
請求項1の前記方法によって記録担体上に記録された、情報信号パケット(TSパケット)のリアルタイムシーケンスを再生するための装置であって、
前記記録担体上に記録された前記情報信号パケットを読み取るための読み取り手段と、
前記記録担体から読み取られた複数の情報信号パケットを、一時的に格納する格納手段と、
ローカル・システムタイムカウンタ(STC)から導出されたパケット到着タイムカウンタを有するタイムスタンプ生成手段と、
情報信号パケットの格納されたタイムスタンプと、前記生成されたパケット到着タイムの値とを比較するための比較器手段と、
パケット到着タイムカウンタ値が前記対応するタイムスタンプに一致するときに、前記格納手段から情報信号パケットを出力するステップと、
を有する装置において、
前記タイムスタンプ生成手段が、請求項3の前記方法によってパケット到着タイムを生成するように適合化されていることを特徴とする、装置。
【請求項８】
情報信号パケットのリアルタイムシーケンスを記録担体上に格納する方法であって、前記シーケンスが、ローカル・システムタイムカウンタ(STC)をロックするための基準プログラムクロック(PCR)情報と、前記情報信号パケット内に含まれる前記情報の前記プレゼンテーションタイムを特定するためのプレゼンテーションタイムスタンプ(PTS)と、前記情報信号パケット内に含まれる前記情報の前記復号タイムを特定するための復号タイムスタンプ(DTS)情報と、パケット識別子(PID)マッピング情報とを有し、前記方法が、前記シーケンス内の特定のエントリポイントにマークポイントを追加するステップを有する方法において、マークポイントに加えて、基準プログラムクロック(PCR)情報、プレゼンテーションタイムスタンプ(PTS)情報、復号タイムスタンプ(DTS)情報、パケット識別子(PID)マッピング情報のうちの1つまたは複数を格納することを特徴とする方法。